【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】  式：
【化１】
2001514320.tif 000001
［式中、Ｘは−Ｏ−又は−ＮＨ−であり；Ｒは共有結合、又は二価のＣ1−Ｃ16脂肪族、脂環式若しくは芳香族ラジカルであり；Ｒ1はＣ1−Ｃ6脂肪族ラジカルである］に相当する発色団モノマー。
【請求項２】  ６’−ブトキシ−２，６−ジアミノ−３，３’−アゾジピリジンのビス（Ｃ1−Ｃ6アルキルセバカミド）。
【請求項３】  チオニンのビス（Ｃ1−Ｃ6アルキルセバカミド）。
【請求項４】  塩基性フクシンのビス（Ｃ1−Ｃ6アルキルセバカミド）。
【請求項５】  ３，６−ジアミノアクリジン塩酸塩のビス（Ｃ1−Ｃ6アルキルセバカミド）。
【請求項６】  ４−（４−ニトロフェニルアゾ）レゾルシノールのビス（Ｃ1−Ｃ6アルキルセバケート）。
【請求項７】  ２，９−ジメチルキナクリドンのビス（Ｃ1−Ｃ6アルキルセバカミド）。
【請求項８】  １，４−ビス（アルキルアミノ）−９，１０−アントラキノンのビス（Ｃ1−Ｃ6アルキルセバカミド）。
【請求項９】  ２，３−ジヒドロ−２，２−ジメチル−６−［［４−（フェニルアゾ）−１−ナフタレニル］アゾ］−１Ｈ−ペリミジンのビス（Ｃ1−Ｃ6アルキルセバカミド）。
【請求項１０】  式：
【化２】
2001514320.tif 000002
［式中、Ｘは−Ｏ−又は−ＮＨ−であり；Ｒは共有結合、又は二価のＣ1−Ｃ16脂肪族、脂環式若しくは芳香族ラジカルであり；Ｒ1はＣ1−Ｃ6脂肪族ラジカルである］に相当する発色団モノマー。
【請求項１１】  ビス（メチルエオシン）セバケート。
【請求項１２】  式：
【化３】
2001514320.tif 000003
［式中、Ｒは直鎖又は分枝鎖Ｃ3−Ｃ30アルキレンである］に相当するテレフタレートジオール。
【請求項１３】  式：
【化４】
2001514320.tif 000004
［式中、Ｒ1は直鎖Ｃ8−Ｃ30アルキルである］に相当するテレフタレートジオール。
【請求項１４】  ビス（３−ヒドロキシ−２−メチルプロピル）テレフタレート。
【請求項１５】  ビス（２−テトラデシル−２−ヒドロキシエチル）テレフタレート。
【請求項１６】  ビス（２−ヘキシル−２−ヒドロキシエチル）テレフタレート。
【請求項１７】  約０．１〜２０モル％の反復発色団ジエステルモノマー単位を有し、約５０００〜１００，０００の重量平均分子量を有し、約４０℃〜１２０℃のガラス転移温度（Ｔg）と１５０℃における約２００〜５５００ポアズの溶融粘度とを有するポリエステル染料を含む、電子写真画像形成系用トナー組成物。
【請求項１８】  付加的成分として、現像液媒質を包含する、請求項１７記載のトナー組成物。
【請求項１９】  付加的成分として、電荷制御剤を包含する、請求項１７記載のトナー組成物。
【請求項２０】  付加的成分として、界面活性剤を包含する、請求項１７記載のトナー組成物。
【請求項２１】  付加的成分として、ワックス成分を包含する、請求項１７記載のトナー組成物。
【手続補正２】
【補正対象書類名】明細書
【補正対象項目名】００９３
【補正方法】変更
【補正の内容】
【００９３】
このコポリエステル混合物を、約５〜７ミクロンの平均粒度に微粉状にする。
本発明の各種実施形態は以下の通りである。
１．  式：
【化２８】
2001514320.tif 000005
［式中、Ｘは−Ｏ−又は−ＮＨ−であり；Ｒは共有結合、又は二価のＣ1−Ｃ16脂肪族、脂環式若しくは芳香族ラジカルであり；Ｒ1はＣ1−Ｃ6脂肪族ラジカルである］に相当する発色団モノマー。
２．  ６’−ブトキシ−２，６−ジアミノ−３，３’−アゾジピリジンのビス（Ｃ1−Ｃ6アルキルセバカミド）。
３．  前記アルキルがメチルである、上記第２項に記載のアゾジピリジン。
４．  チオニンのビス（Ｃ1−Ｃ6アルキルセバカミド）。
５．  前記アルキルがメチルである、上記第４項に記載のチオニン。
６．  塩基性フクシンのビス（Ｃ1−Ｃ6アルキルセバカミド）。
７．  前記アルキルがメチルである、上記第６項に記載の塩基性フクシン。
８．  ３，６−ジアミノアクリジン塩酸塩のビス（Ｃ1−Ｃ6アルキルセバカミド）。
９．  前記アルキルがメチルである、上記第８項に記載の３，６−ジアミノアクリジン塩酸塩。
１０．  ４−（４−ニトロフェニルアゾ）レゾルシノールのビス（Ｃ1−Ｃ6アルキルセバケート）。
１１．  前記アルキルがメチルである、上記第１０項に記載のレゾルシノール。
１２．  ２，９−ジメチルキナクリドンのビス（Ｃ1−Ｃ6アルキルセバカミド）。
１３．  前記アルキルがメチルである、上記第１２項に記載のキナクリドン。
１４．  １，４−ビス（アルキルアミノ）−９，１０−アントラキノンのビス（Ｃ1−Ｃ6アルキルセバカミド）。
１５．  前記アルキルアミノがエチルアミノであり、前記アルキルセバカミドがメチルセバカミドである、上記第１４項に記載のアントラキノン。
１６．  前記アルキルアミノがｎ−ブチルアミノである、上記第１４項に記載のアントラキノン。
１７．  前記アルキルセバカミドがメチルセバカミドである、上記第１６項に記載のアントラキノン。
１８．  前記アルキルアミノが４−メチルアニリノである、上記第１４項に記載のアントラキノン。
１９．  前記アルキルセバカミドがメチルセバカミドである、上記第１８項に記載のアントラキノン。
２０．  ２，３−ジヒドロ−２，２−ジメチル−６−［［４−（フェニルアゾ）−１−ナフタレニル］アゾ］−１Ｈ−ペリミジンのビス（Ｃ1−Ｃ6アルキルセバカミド）。
２１．  前記アルキルセバカミドがメチルセバカミドである、上記第２０項に記載のペリミジン。
２２．  式：
【化２９】
2001514320.tif 000006
［式中、Ｘは−Ｏ−又は−ＮＨ−であり；Ｒは共有結合、又は二価のＣ1−Ｃ16脂肪族、脂環式若しくは芳香族ラジカルであり；Ｒ1はＣ1−Ｃ6脂肪族ラジカルである］に相当する発色団モノマー。
２３．  ビス（メチルエオシン）セバケート。
２４．  式：
【化３０】
2001514320.tif 000007
［式中、Ｒは直鎖又は分枝鎖Ｃ3−Ｃ30アルキレンである］に相当するテレフタレートジオール。
２５．  式：
【化３１】
2001514320.tif 000008
［式中、Ｒ1は直鎖Ｃ8−Ｃ30アルキルである］に相当するテレフタレートジオール。
２６．  ビス（３−ヒドロキシ−２−メチルプロピル）テレフタレート。
２７．  ビス（２−テトラデシル−２−ヒドロキシエチル）テレフタレート。
２８．  ビス（２−ヘキシル−２−ヒドロキシエチル）テレフタレート。
２９．  約０．１〜２０モル％の反復発色団ジエステルモノマー単位を有し、約５０００〜１００，０００の重量平均分子量を有し、約４０℃〜１２０℃のガラス転移温度（Ｔg）と１５０℃における約２００〜５５００ポアズの溶融粘度とを有するポリエステル染料を含む、電子写真画像形成系用トナー組成物。
３０．  ポリエステル染料が約５，０００〜３０，０００の重量平均分子量を有する、上記第２９項に記載のトナー組成物。
３１．  約１．２〜４の多分散度を有する、上記第２９項に記載のトナー組成物。
３２．  ２．１６ｋｇの荷重下、１５０℃において約２５〜１０００ｇ／１０分のメルトインデックスを有する、上記第２９項に記載のトナー組成物。
３３．  約３５０〜７５０ｎｍの範囲内の特定波長において少なくとも約８０％の光透過度を示す、上記第２９項に記載のトナー組成物。
３４．  ポリエステル染料が、共重合したジオールモノマーと、黄色６’−ブトキシ−２，６−ジアミノ−３，３’−アゾジピリジンのビス（Ｃ1−Ｃ6アルキルセバカミド）モノマーとを含む、上記第２９項に記載のトナー組成物。
３５．  ポリエステル染料が、共重合したジオールモノマーと、青色チオニンのビス（Ｃ1−Ｃ6アルキルセバカミド）モノマーとを含む、上記第２９項に記載のトナー組成物。
３６．  ポリエステル染料が、共重合したジオールモノマーと、赤色塩基性フクシンのビス（Ｃ1−Ｃ6アルキルセバカミド）モノマーとを含む、上記第２９項に記載のトナー組成物。
３７．  ポリエステル染料が、共重合したジオールモノマーと、マゼンタ色３，６−ジアミノアクリジン塩酸塩のビス（Ｃ1−Ｃ6アルキルセバカミド）モノマーとを含む、上記第２９項に記載のトナー組成物。
３８．  ポリエステル染料が、共重合したジオールモノマーと、赤色ビス（メチルエオシン）セバケートとを含む、上記第２９項に記載のトナー組成物。
３９．  ポリエステル染料が、共重合したジオールモノマーと、黄色４−（４−ニトロフェニルアゾ）レゾルシノールのビス（Ｃ1−Ｃ6アルキルセバケート）モノマーとを含む、上記第２９項に記載のトナー組成物。
４０．  ポリエステル染料が、共重合したジオールモノマーと、マゼンタ色２，９−ジメチルキナクリドンのビス（Ｃ1−Ｃ6アルキルセバカミド）モノマーとを含む、上記第２９項に記載のトナー組成物。
４１．  ポリエステル染料が、重合した黄色２，２’−［（３，３’−ジクロロ−１，１’−ジフェニル）−４，４’−ビス（アゾ）］−ビス［Ｎ−（２−メトキシフェニル）］−３−オキソブタナミドのビス（３−ヒドロキシ−２−メチルプロピル）テレフタレートを含む、上記第２９項に記載のトナー組成物。
４２．  ポリエステル染料が、共重合したジオールモノマーと、シアン色１，４−ビス−（エチルアミノ）−９，１０−アントラキノンのビス（Ｃ1−Ｃ6アルキルセバカミド）とを含む、上記第２９項に記載のトナー組成物。
４３．  ポリエステル染料が、共重合したジオールモノマーと、シアン色１，４−ビス−（ｎ−ブチルアミノ）−９，１０−アントラキノンのビス（Ｃ1−Ｃ6アルキルセバカミド）とを含む、上記第２９項に記載のトナー組成物。
４４．  ポリエステル染料が、共重合したジオールモノマーと、シアン色１，４−ビス−（４−メチルアニリノ）−９，１０−アントラキノンのビス（Ｃ1−Ｃ6アルキルセバカミド）とを含む、上記第２９項に記載のトナー組成物。
４５．  ポリエステル染料が、共重合したジオールモノマーと、黒色２，３−ジヒドロ−２，２−ジメチル−６−［［４−（フェニルアゾ）−１−ナフタレニル］アゾ］−１Ｈ−ペリミジンのビス（Ｃ1−Ｃ6アルキルセバカミド）とを含む、上記第２９項に記載のトナー組成物。
４６．  ポリエステル染料が、共重合した発色団ジエステルモノマーと、式：
【化３２】
2001514320.tif 000009
［式中、Ｒは直鎖又は分枝鎖Ｃ3−Ｃ30アルキレンである］に相当するテレフタレートジオールモノマーとを含む、上記第２９項に記載のトナー組成物。
４７．  ポリエステル染料が、重合したマゼンタ色２，９−ジメチル−キナクリドンのビス（３−ヒドロキシ−２−メチルプロピル）テレフタルアミドを含む、上記第２９項に記載のトナー組成物。
４８．  付加的成分として、現像液媒質を包含する、上記第２９項に記載のトナー組成物。
４９．  付加的成分として、電荷制御剤を包含する、上記第２９項に記載のトナー組成物。
５０．  付加的成分として、界面活性剤を包含する、上記第２９項に記載のトナー組成物。
５１．  付加的成分として、ワックス成分を包含する、上記第２９項に記載のトナー組成物。